(57)【特許請求の範囲】
【請求項１】
足の過回内又は過回外を矯正するために履物に挿入するための装具デバイスであって、前記装具デバイスは、
第１端部、第２端部、上面及び下面を含むインソールであって、前記インソールの前記上面が、前記足の少なくとも一部分を受け入れ及び支持する、インソールと、
前記インソールの前記下面に取り付け可能な着脱式角度挿入部材であって、前記着脱式角度挿入部材が、前記足の過回内又は過回外を矯正するために前記インソールの側面の周辺の角度を増加させ、前記着脱式角度挿入部材が、前記インソールの前記第１端部の周辺で前記インソールの前記下面に取り付け可能な踵部、前記踵部から前記インソールの前記第２端部に向かって延在し、前記インソールの前記下面に取り付け可能な延在部、及び前記着脱式角度挿入部材の縁に沿った１つ以上の突出部を含む、着脱式角度挿入部材と、
前記インソールの前記下面における挿入切り欠き部であって、前記挿入切り欠き部が、前記着脱式角度挿入部材をその中に少なくとも部分的に収容するようなサイズ及び形状にされている、挿入切り欠き部と、
前記挿入切り欠き部内の前記インソールの前記下面に沿った１つ以上のスロットと、を備え、
前記１つ以上の突出部が、前記着脱式角度挿入部材を前記挿入切り欠き部内の前記インソールの前記下面に固定するために前記１つ以上のスロットと嵌合するように構成されている、装具デバイス。
【請求項２】
足の過回内を矯正するために履物に挿入するための装具デバイスであって、前記装具デバイスは、
第１端部、第２端部、第１側面、第２側面、上面及び下面を含むインソールであって、前記インソールの前記上面が、前記足の少なくとも一部分を受け入れ及び支持する、インソールと、
前記インソールの前記下面に取り付け可能な着脱式角度挿入部材であって、前記着脱式角度挿入部材が、前記足の過回内を矯正するために前記足の内側部で前記インソールの前記第１側面の周辺の角度を増加させ、前記着脱式角度挿入部材が、前記インソールの前記第１端部の周辺で前記インソールの前記下面に取り付け可能な踵部、前記踵部から前記インソールの前記第２端部に向かって延在し、前記インソールの前記第１側面に沿って前記下面に取り付け可能な延在部、及び前記着脱式角度挿入部材の縁に沿った１つ以上の突出部を含む、着脱式角度挿入部材と、
前記インソールの前記第１端部及び前記インソールの前記第１側面の周辺での前記インソールの前記下面における挿入切り欠き部であって、前記挿入切り欠き部が、前記着脱式角度挿入部材をその中に少なくとも部分的に収容するようなサイズ及び形状にされている、挿入切り欠き部と、
前記挿入切り欠き部内の前記インソールの前記下面に沿った１つ以上のスロットと、を備え、
前記１つ以上の突出部が、前記着脱式角度挿入部材を前記挿入切り欠き部内の前記インソールの前記下面に固定するために前記１つ以上のスロットと嵌合するように構成されている、装具デバイス。
【請求項３】
前記着脱式角度挿入部材が、前記足の過回内を矯正するために前記足の前記内側部で前記インソールの前記第１側面の周辺の前記角度を約０〜１０度増加させる、請求項２に記載の装具デバイス。
【請求項４】
前記インソールの前記第１端部が、前記足の踵に対応する輪郭形成面を有する踵支持部を含み、前記インソールの前記第１側面が、前記足の土踏まずに対応する輪郭形成面を有する土踏まず支持部を含む、請求項２に記載の装具デバイス。
【請求項５】
前記足の踵にかかる衝撃を緩和するために前記インソールの前記第１端部で、かつ前記インソールの前記上面に位置付けられたクッションをさらに備える、請求項２に記載の装具デバイス。
【請求項６】
前記インソールの前記第１端部の周辺で前記インソールの前記上面においてクッション切り欠き部をさらに備え、前記クッション切り欠き部が、前記クッションをその中に収容するようなサイズ及び形状にされている、請求項５に記載の装具デバイス。
【請求項７】
前記インソールの前記第１端部の周辺で前記インソールの前記上面と前記インソールの前記下面との間に開口部をさらに備え、前記クッションの少なくとも一部分が、前記開口部に挿入可能である、請求項５に記載の装具デバイス。
【請求項８】
前記クッションが、前記足の過回内を矯正するために前記インソールの前記上面に対して角度付けられている、請求項５に記載の装具デバイス。
【請求項９】
前記インソールの厚みが、前記インソールの前記第２端部の周辺で減少する、請求項２に記載の装具デバイス。
【請求項１０】
前記挿入切り欠き部の周辺に少なくとも部分的に延在するへりをさらに備え、前記着脱式角度挿入部材が、前記へりを越えて少なくとも部分的に延在する、請求項２に記載の装具デバイス。
【請求項１１】
前記延在部が湾曲している、請求項２に記載の装具デバイス。
【請求項１２】
前記延在部の輪郭が、前記インソールの前記下面の輪郭に対応する、請求項２に記載の装具デバイス。
【請求項１３】
前記延在部の厚みが、前記踵部から前記インソールの前記第２端部に向かって外方向に減少する、請求項２に記載の装具デバイス。
【請求項１４】
前記延在部の幅が、前記踵部から前記インソールの前記第２端部に向かって外方向に減少する、請求項２に記載の装具デバイス。
【請求項１５】
前記足の中足土踏まずにかかる衝撃を緩和する又はそれを支持するために前記インソールの前記第２端部で、かつ前記インソールの前記上面に位置付けられた中足突出部をさらに備える、請求項２に記載の装具デバイス。
【請求項１６】
足の過回内を矯正するために履物に挿入するための装具デバイスであって、前記装具デバイスは、
第１端部、第２端部、第１側面、第２側面、上面及び下面を含むインソールであって、前記インソールの前記上面が、前記足の少なくとも一部分を受け入れ及び支持する、インソールと、
前記インソールの前記下面に取り付け可能な複数の着脱式角度挿入部材であって、前記複数の着脱式角度挿入部材が、前記足の過回内を矯正するために前記足の内側部で前記インソールの前記第１側面の周辺の角度を調節し、前記着脱式角度挿入部材が、前記インソールの前記第１端部の周辺で前記インソールの前記下面に取り付け可能な踵部、前記踵部から前記インソールの前記第２端部に向かって延在し、前記インソールの前記第１側面に沿って前記下面に取り付け可能な延在部、及び前記着脱式角度挿入部材の縁に沿った１つ以上の突出部を含む、複数の着脱式角度挿入部材と、
前記インソールの前記第１端部及び前記インソールの前記第１側面の周辺での前記インソールの前記下面における挿入切り欠き部であって、前記挿入切り欠き部が、前記着脱式角度挿入部材をその中に少なくとも部分的に収容するようなサイズ及び形状にされている、挿入切り欠き部と、
前記挿入切り欠き部内の前記インソールの前記下面に沿った１つ以上のスロットと、を備え、
前記１つ以上の突出部が、前記着脱式角度挿入部材を前記挿入切り欠き部内の前記インソールの前記下面に固定するために前記１つ以上のスロットと嵌合するように構成されている、装具デバイス。
【請求項１７】
前記着脱式角度挿入部材が複数の着脱式角度挿入部材を備え、複数の前記着脱式角度挿入部材のうちの少なくとも１つが前記インソールの前記下面に同時に取り付け可能であり、複数の前記着脱式角度挿入部材は、前記足の過回内を矯正するために前記足の内側部で前記インソールの前記第１側面の周辺の角度を増加させ、複数の前記着脱式角度挿入部材の各々が、前記足の過回内を矯正するために前記インソールの前記側面の周辺の様々な角度を提供し、複数の前記着脱式角度挿入部材は、前記足の過回内を矯正するために使用者が前記装具デバイスをカスタマイズすることができるようにする、請求項２に記載の装具デバイス。
【請求項１８】
請求項２に記載の前記インソールを提供するステップであって、前記着脱式角度挿入部材が複数の着脱式角度挿入部材を備える、提供するステップと、
複数の前記着脱式角度挿入部材であって、複数の前記着脱式角度挿入部材のうちの少なくとも１つが前記インソールの前記下面に同時に取り付け可能であり、複数の前記着脱式角度挿入部材は、前記足の過回内を矯正するために前記足の内側部で前記インソールの前記第１側面の周辺の前記角度を増加させ、複数の前記着脱式角度挿入部材の各々が、前記足の過回内を矯正するために前記インソールの前記側面の周辺の様々な角度を提供し、複数の前記着脱式角度挿入部材は、前記足の過回内を矯正するために使用者が前記装具デバイスをカスタマイズすることができるようにする、複数の着脱式角度挿入部材を提供するステップと、を含む方法。
【発明の詳細な説明】
【技術分野】
【０００１】
関連出願の相互参照
[0001]  本開示は、２０１５年７月７日出願の米国特許出願第１４／７９２，７５１号に対する優先権及びその利益を主張するものであり、当該特許出願は、参照によりその全体が本明細書に組み込まれる。
【０００２】
[0002]  本開示は、全体的に装具デバイスに関し、より具体的には、足の過回内又は過回外を矯正するためにインソールの角度を調節するための、取り付け可能な角度挿入部材を備えた履物用のインソールに関する。
【背景技術】
【０００３】
[0003]  異常回内足は、よくある問題である。回内足は、正常な体重負荷経路を乱し、脚の不自然な内部回転を引き起こす。足の過回内は望ましくなく、不便及び損傷を引き起こす恐れがある。回外は、回内の反対であり、足の外方向の回りを指す。足の過回内及び過回外からもたらされる一般的な弊害には、とりわけ、土踏まず痛、踵痛、偏平足、膝痛、くるぶし捻挫、腱炎、関節痛、背痛、過労性脛部痛、及び／又は疲労骨折が含まれる。
【発明の概要】
【０００４】
[0004]  上記の必要性及び／又は問題のいくつか又はすべてが、足の過回内又は過回外を矯正するために履物に挿入するための装具デバイスのある特定の実施形態によって対処され得る。本装具デバイスは、上面及び下面を含むインソールを含み得る。インソールの上面は、足の少なくとも一部分を受け入れ及び支持し得る。本装具デバイスはまた、インソールの下面に取り付け可能な着脱式角度挿入部材を含み得る。着脱式角度挿入部材は、足の過回内又は過回外を矯正するために、インソールの側面の周辺の角度を増加させ得る。
【０００５】
[0005]  本装具デバイスの他の特徴及び態様は、次の図及び発明を実施するための形態を吟味すれば当業者には明らかであるか、又は明らかとなろう。すべての他の特徴及び態様、ならびに他のシステム、方法、及びアセンブリの実施形態が、この説明に含まれることが意図され、また添付の特許請求の範囲内にあることが意図される。
【図面の簡単な説明】
【０００６】
[0006]  発明を実施するための形態は、添付の図面を参照しながら記載される。同じ参照番号の使用は、類似又は同一の品目を指示し得る。種々の実施形態が、図面に例示されたもの以外の要素及び／又は構成部品を利用してもよく、また、いくつかの要素及び／又は構成部品は、種々の実施形態に存在しないことがあり得る。図中の要素及び／又は構成部品は、必ずしも一定の縮尺で描かれているわけではない。本開示全体を通して、文脈に応じて、単数形及び複数形の専門用語が互換的に使用され得る。
【０００７】
【図１】本開示の１つ以上の実施形態による装具デバイスの上から見た図を概略的に図示する。
【図２】本開示の１つ以上の実施形態による装具デバイスの下から見た図を概略的に図示する。
【図３】本開示の１つ以上の実施形態による装具デバイスの上面図を概略的に図示する。
【図４】本開示の１つ以上の実施形態による装具デバイスの底面図を概略的に図示する。
【図５】本開示の１つ以上の実施形態による装具デバイスの側面図を概略的に図示する。
【図６】本開示の１つ以上の実施形態による装具デバイスの側面図を概略的に図示する。
【図７】本開示の１つ以上の実施形態による装具デバイスの正面図を概略的に図示する。
【図８】本開示の１つ以上の実施形態による装具デバイスの後面図を概略的に図示する。
【図９】本開示の１つ以上の実施形態による装具デバイスの下から見た図を概略的に図示する。
【図１０】本開示の１つ以上の実施形態による角度挿入部材の下から見た図を概略的に図示する。
【図１１】本開示の１つ以上の実施形態による、足の過回内又は過回外を矯正するための例示的な方法を図示する流れ図である。
【発明を実施するための形態】
【０００８】
[0018]  足の過回内又は過回外を矯正するために履物に挿入するための装具デバイスの実施形態が以下に記載される。本装具デバイスは、第１端部、第２端部、第１側面、第２側面、上面、及び下面を含むインソールを含み得る。インソールの上面は、足の少なくとも一部分を受け入れ及び支持するように構成され得る。本装具デバイスはまた、インソールの下面に取り付け可能な着脱式角度挿入部材を含み得る。回内の場合、着脱式角度挿入部材は、足の過回内を矯正するために、足の内側部でインソールの第１側面の周辺の角度を増加させ得る。回外の場合、着脱式角度挿入部材は、足の過回外を矯正するために、足の外側部でインソールの第２側面の周辺の角度を増加させ得る。
【０００９】
[0019]  いくつかの事例では、着脱式角度挿入部材は、足の過回内を矯正するために、足の内側部でインソールの第１側面の周辺の角度を約０〜１０度増加させ得る。着脱式角度挿入部材は、足の過回内を矯正するために、インソールの第１側面の周辺の角度を任意の量（１０度を超える量を含む）増加させ得る。例えば、いくつかの角度挿入部材は、足の過回内を矯正するために、足の内側部でインソールの第１側面の周辺の様々な角度を提供し得る。このようにして、使用者の必要に応じて、角度挿入部材は、足の過回内を矯正するために所望の角度を得るように、他の角度挿入部材と取り替えられてもよい。つまり、使用者は、足の過回内を矯正するために本装具デバイスをカスタマイズしてもよい。
【００１０】
[0020]  他の事例では、着脱式角度挿入部材は、足の過回外を矯正するために、足の外側部でインソールの第２側面の周辺の角度を約０〜１０度増加させ得る。着脱式角度挿入部材は、足の過回外を矯正するために、インソールの第２側面の周辺の角度を任意の量（１０度を超える量を含む）増加させ得る。例えば、いくつかの角度挿入部材は、足の過回外を矯正するために、足の外側部でインソールの第２側面の周辺の様々な角度を提供し得る。このようにして、使用者の必要に応じて、角度挿入部材は、足の過回外を矯正する所望の角度を得るために他の角度挿入部材と取り替えられてもよい。つまり、使用者は、足の過回外を矯正するために本装具デバイスをカスタマイズしてもよい。
【００１１】
[0021]  インソールの第１端部は、足の踵に対応する輪郭形成面を有する踵支持部を形成し得る。同様に、インソールの第１側面は、足の土踏まずに対応する輪郭形成面を有する土踏まず支持部を形成し得、インソールの第２側面は、足の外側部を受け入れ及び支持するための１つ以上の縁及び表面を含み得る。いくつかの事例では、インソールの第１端部からインソールの第２端部までの距離は、足の長さの約３／４であり得る。他の事例では、インソールは、足の全長に延在してもよい。いくつかの事例では、インソールの第２端部の厚みは、踵支持部から離れる方向に減少し得る。
【００１２】
[0022]  本装具デバイスは、足の踵にかかる衝撃を緩和するために、インソールの第１端部で、かつインソールの上面に位置付けられたクッションを含み得る。いくつかの事例では、インソールの第１端部の周辺のインソールの上面は、クッション切り欠き部を含み得る。クッション切り欠き部は、クッションをその中に収容するようなサイズ及び形状にされ得る。いくつかの事例では、本装具デバイスは、インソールの第１端部の周辺でインソールの上面とインソールの下面との間に開口部を含み得る。クッションの少なくとも一部分は、開口部に挿入可能であり得る。ある特定の実施形態において、クッションは、足の過回内又は過回外を矯正するために、インソールの上面に対して角度付けられ得る。
【００１３】
[0023]  いくつかの事例では、回内を矯正するために、本装具デバイスは、インソールの第１端部の周辺で、かつインソールの第１側面に沿って、インソールの下面において挿入切り欠き部を含み得る。他の事例では、過回外を矯正するために、インソールの下面における挿入切り欠き部は、インソールの第１端部の周辺で、かつインソールの第２側面に沿って配設され得る。挿入切り欠き部は、着脱式角度挿入部材をその中に少なくとも部分的に収容するようなサイズ及び形状にされ得る。いくつかの事例では、へりが、挿入切り欠き部の周辺に少なくとも部分的に延在してもよい。インソールの下面に位置付けられるとき、着脱式角度挿入部材は、へりを越えて少なくとも部分的に延在してもよい。
【００１４】
[0024]  着脱式角度挿入部材は、インソールの第１端部の周辺でインソールの下面に取り付け可能な踵部を含み得る。さらに、回内の場合、着脱式角度挿入部材は、踵部から延在し、インソールの第１側面に沿ってインソールの下面に取り付け可能である延在部を含み得る。回外の場合、着脱式角度挿入部材は、踵部から延在し、インソールの第２側面に沿ってインソールの下面に取り付け可能である延在部を含み得る。いくつかの事例では、延在部は、湾曲していてもよい。さらに、延在部の輪郭は、インソールの下面の輪郭に対応し得る。いくつかの事例では、延在部の厚みは、踵部から外方向に減少し得る。同様に、延在部の幅は、踵部から外方向に減少し得る。
【００１５】
[0025]  上述のように、着脱式角度挿入部材は、インソールの下面に取り付け可能であってもよい。任意の取り付け手段を用いて、角度挿入部材をインソールに除去可能に固定してもよい。例えば、ある実施形態においては、１つ以上の突出部が、着脱式角度挿入部材の縁に沿って配設されてもよい。同様に、１つ以上のスロットが、インソールの下面に沿って配設されてもよい。突出部は、着脱式角度挿入部材をインソールの下面に固定するためにスロットと嵌合するように構成され得る。
【００１６】
[0026]  本開示のこれら及び他の実施形態は、後に続く本開示の発明を実施するための形態において、添付の図面を参照することによってより詳細に記載される。この簡潔な序論は、節の見出し及び対応する要約を含めて、読者に好都合であるように提供されており、特許請求の範囲又は先行する節の範囲を限定することを意図しない。さらに、上記及び下記に説明される技法は、いくつもの様式で、いくつもの前後関係において実現されてよい。いくつかの例となる実現形態及び前後関係が、下記により詳細に説明される次の図を参照しながら提供される。しかしながら、次の実現形態及び前後関係は、多くのもののうちのほんの少数例にすぎない。
【００１７】
[0027]  図１〜図１０は、足の過回内又は過回外を矯正するために履物に挿入するための装具デバイス１００を概略的に図示する。装具デバイス１００は、足の過回内又は過回外を矯正する（又はそれに抵抗する）ために、角度を調節するように使用者がカスタマイズすることができる。装具デバイス１００はインソール１０２を含み得る。インソール１０２は、第１端部１０４、第２端部１０６、第１側面１０８、第２側面１１０、上面１１２、及び下面１１４を含み得る。インソール１０２の上面１１２は、足の少なくとも一部分を受け入れ及び支持するように構成され得る。例えば、インソール１０２の上面１１２は、足がインソール１０２の上面１１２に少なくとも部分的にはまり込むように、１つ以上の縁１１６及び輪郭形成面１１８を含み得る。
【００１８】
[0028]  インソール１０２の第１端部１０４は、足の踵に対応する輪郭形成面１２０を有する踵支持部を形成し得る。このようにして、足の踵は、踵支持部１２０内にはまり込んでもよい。踵支持部１２０は、足の踵を支持するような任意のサイズ又は形状にされ得る。インソール１０２の第１側面１０８は、足の土踏まずに対応する輪郭形成面を有する土踏まず支持部１２２を形成し得る。このようにして、足の土踏まずは、土踏まず支持部１２２内にはまり込んでもよい。土踏まず支持部１２２は、足の土踏まずを支持するような任意のサイズ又は形状にされ得る。インソール１０２の第２側面１１０は、足の外側部を支持するための１つ以上の表面又は縁を含み得る。いくつかの事例では、インソール１０２の第１端部１０４からインソール１０２の第２端部１０６までの距離は、足の長さの約３／４であり得る。他の事例では、インソール１０２は、足の全長に延在してもよい。いくつかの事例では、インソール１０２の第２端部１０６の厚みは、踵支持部１２０から離れる方向に減少し得る。インソール１０２は、履物、例えば靴などの中に位置付けられるように構成され得る。
【００１９】
[0029]  いくつかの事例では、足の踵にかかる衝撃を緩和するために、クッション１２４が、インソール１０２の第１端部１０４で、かつインソール１０２の上面１１２に位置付けられてもよい。クッション１２４は、インソール１０２へと成型されてもよいし、又はクッション１２４は、インソール１０２に除去可能に取り付けられてもよい。いくつかの事例では、クッション１２４は、インソール１０２に糊付けなどされてもよい。他の締結手段が用いられてもよい。クッション１２４は、同じ又はインソール１０２よりも軟質の材料で作製されてもよい。ある特定の実施形態において、クッション１２４は、インソール１０２の上面１１２に重なってもよい。他の事例では、インソール１０２の第１端部１０４におけるインソール１０２の上面１１２は、クッション切り欠き部１２６を含み得る。クッション切り欠き部１２６は、クッション１２４をその中に収容するようなサイズ及び形状にされ得る。つまり、クッション１２４は、クッション切り欠き部１２６内にはまり込んでもよい。一例では、クッション１２４は、クッション１２４がインソール１０２の上面１１２と実質的にぴったり重なるように、クッション切り欠き部１２６内にはまり込んでもよい。他の事例では、クッション１２４は、インソール１０２の上面１１２を越えて延在してもよい。ある特定の実施形態において、装具デバイス１００は、インソール１０２の第１端部１０４の周辺でインソール１０２の上面１１２とインソール１０２の下面１１４との間に開口部１２８を含み得る。クッション１２４の少なくとも一部分は、開口部１２８に挿入可能であり得る。ある特定の実施形態において、クッション１２４は、足の過回内又は過回外を矯正するために、インソール１０２の上面１１２に対して角度付けられ得る。
【００２０】
[0030]  いくつかの事例では、足の中足土踏まずにかかる衝撃を緩和する又はそれを支持するために、中足突出部１３２などの第２クッションが、インソール１０２の第２端部１０６で、かつインソール１０２の上面１１２に位置付けられてもよい。中足突出部１３２は、インソール１０２へと成型されてもよいし、又は中足突出部１３２は、インソール１０２に除去可能に取り付けられてもよい。いくつかの事例では、中足突出部１３２は、インソール１０２に糊付けなどされてもよい。他の締結手段が用いられてもよい。中足突出部１３２は、同じ又はインソール１０２よりも軟質の材料で作製されてもよい。ある特定の実施形態において、中足突出部１３２は、インソール１０２の上面１１２に重なってもよい。他の事例では、インソール１０２の第２端部１０６におけるインソール１０２の上面１１２は、中足突出部切り欠き部１４８を含み得る。中足突出部切り欠き部１４８は、中足突出部１３２をその中に収容するようなサイズ及び形状にされ得る。つまり、中足突出部１３２は、中足突出部切り欠き部１４８内にはまり込んでもよい。一例では、中足突出部１３２は、中足突出部１３２がインソール１０２の上面１１２と実質的にぴったり重なるように、中足突出部切り欠き部１４８内にはまり込んでもよい。他の事例では、中足突出部１３２は、インソール１０２の上面１１２を越えて延在してもよい。ある特定の実施形態において、装具デバイス１００は、インソール１０２の第２端部１０６の周辺でインソール１０２の上面１１２とインソール１０２の下面１１４との間に開口部１５０を含み得る。いくつかの事例では、中足突出部１３２の少なくとも一部分は、開口部１５０に挿入され得る。開口部１５０は、中足突出部１３２の挿入及び／又は除去を容易にし得る。ある特定の実施形態において、中足突出部１３２は、足の過回内又は過回外を矯正するために、インソール１０２の上面１１２に対して角度付けられ得る。
【００２１】
[0031]  装具デバイス１００はまた、インソール１０２の下面１１４に取り付け可能な着脱式角度挿入部材１３０を含み得る。着脱式角度挿入部材１３０は、足の過回内を矯正するために、足の内側部でインソール１０２の第１側面１０８の周辺の角度を増加させる。いくつかの事例では、着脱式角度挿入部材１３０は、足の過回内を矯正するために、足の内側部でインソール１０２の第１側面１０８の周辺の角度を約０〜１０度増加させる。着脱式角度挿入部材１３０は、足の過回内を矯正するために、インソール１０２の第１側面１０８の周辺の角度を任意の量（１０度を超える量を含む）増加させ得る。
【００２２】
[0032]  ある特定の実施形態において、いくつかの着脱式角度挿入部材１３０は、足の過回内を矯正するために、足の内側部でインソール１０２の第１側面１０８の周辺の様々な角度を提供し得る。このようにして、使用者の必要に応じて、着脱式角度挿入部材１３０は、足の過回内を矯正するために所望の角度を得るように、他の角度挿入部材１３０と取り替えられてもよい。つまり、装具デバイス１００は、足の過回内を矯正する（又はそれに抵抗する）ために、角度を調節するように使用者がカスタマイズすることができる。着脱式角度挿入部材１３０のサイズ及び形状は、足の過回内を矯正するために、足の内側部でインソール１０２の第１側面１０８の周辺の異なる角度を提供するように変動してもよい。例えば、ある特定の着脱式角度挿入部材１３０は、足の内側部でインソール１０２の第１側面１０８の周辺の角度を増加又は減少させるように、他の着脱式角度挿入部材１３０よりも薄くても厚くてもよい。
【００２３】
[0033]  いくつかの事例では、装具デバイス１００は、インソール１０２の第１端部１０４の周辺で、かつインソール１０２の第１側面１０８に沿って、インソール１０２の下面１１４において挿入切り欠き部１３４を含み得る。挿入切り欠き部１３４は、着脱式角度挿入部材１３０をその中に少なくとも部分的に収容するようなサイズ及び形状にされ得る。挿入切り欠き部１３４の外形は、着脱式角度挿入部材１３０の形状に対応し得る。このようにして、着脱式角度挿入部材１３０は、挿入切り欠き部１３４内に少なくとも部分的にはまり込んでもよい。いくつかの事例では、へり１３６が、挿入切り欠き部１３４の周辺に少なくとも部分的に延在してもよい。挿入切り欠き部１３４内に位置付けられるとき、着脱式角度挿入部材１３０は、へり１３６を越えて少なくとも部分的に延在してもよい。
【００２４】
[0034]  着脱式角度挿入部材１３０は、は、インソール１０２の第１端部１０４の周辺でインソール１０２の下面１１４に取り付け可能な踵部１３８を含み得る。さらに、着脱式角度挿入部材１３０は、踵部１３８から延在し、インソール１０２の第１側面１０８に沿ってインソール１０２の下面１１４に取り付け可能である延在部１４０を含み得る。いくつかの事例では、延在部１４０は、湾曲していてもよい。例えば、延在部１４０は、内側に向かって湾曲していてもよい。さらに、延在部１４０の輪郭は、インソール１０２の下面１１４の輪郭に対応し得る。いくつかの事例では、延在部１４０の厚みは、踵部１３８から外方向に減少し得る。同様に、延在部１４０の幅は、踵部１３８から外方向に減少し得る。
【００２５】
[0035]  着脱式角度挿入部材１３０は、インソール１０２の下面１１４に取り付け可能である。つまり、着脱式角度挿入部材１３０は、挿入切り欠き部１３４内などのインソール１０２の下面１１４に取り付け及びそこから取り外しされ得る。インソール１０２の下面１１４の周辺での着脱式角度挿入部材１３０の位置付けは、足の内側部でのインソール１０２の第１側面１０８の周辺に角度を作り出し、それが足の過回内を矯正する。任意の取り付け手段を用いて、角度挿入部材１３０をインソール１０２に除去可能に固定してもよい。例えば、着脱式角度挿入部材１３０は、インソール１０２の下面１１４に機械的に締結されてもよい。例となる実施形態においては、１つ以上の突出部１４２が、着脱式角度挿入部材１３０の縁１４４に沿って配設されてもよい。同様に、１つ以上のスロット１４６が、挿入切り欠き部１３４内などのインソール１０２の下面１１４に沿って配設されてもよい。突出部１４２は、着脱式角度挿入部材１３０をインソール１０２の下面１１４に固定するためにスロット１４６と嵌合するように構成され得る。
【００２６】
[0036]  図１〜図１０は、回内を矯正することに関して装具デバイス１００を図示するが、当業者であれば、着脱式角度挿入部材１３０及び挿入切り欠き部１３４の位置及び角度が、過回外を矯正するために再構成され得る（例えば、回内構成の鏡像）ことを理解するであろう。つまり、着脱式角度挿入部材１３０及び挿入切り欠き部１３４のサイズ及び形状は、足の過回外を矯正するために、足の外側部でインソール１０２の第２側面１１０の周辺の異なる角度を提供するように変動してもよい。例えば、挿入切り欠き部１３４は、インソール１０２の第１端部１０４の周辺のインソール１０２の下面１１４の周辺で、かつインソール１０２の第２側面１１０に沿って配設されてもよい。同様に、着脱式角度挿入部材１３０の延在部１４０は、踵部１３８からインソール１０２の第２側面１１０に沿って延在してもよい。
【００２７】
[0037]  図１１は、本開示の１つ以上の実施形態による、足の過回内又は過回外を矯正するための例示的な方法２００を図示する流れ図である。方法２００のブロック２０２で、着脱式角度挿入部材１３０は、インソール１０２の下面１１４に取り付けられてもよい。例えば、着脱式角度挿入部材１３０は、挿入切り欠き部１３４内に配設されてもよい。回内の場合、着脱式角度挿入部材１３０は、足の過回内を矯正するために、足の内側部でインソール１０２の第１側面１０８の周辺の角度を増加させる。過回外の場合、着脱式角度挿入部材１３０は、足の過回外を矯正するために、足の外側部でインソール１０２の第２側面１１０の周辺の角度を増加させる。方法２００のブロック２０４で、インソール１０２（着脱式角度挿入部材１３０がそれに取り付けられた）は、履物の中に挿入され得る。方法２００のブロック２０６で、使用者は、足の内側部でインソール１０２の第１側面１０８の周辺の角度を増加又は減少させるために、着脱式角度挿入部材１３０を異なる寸法（厚みなど）の別の着脱式角度挿入部材１３０と交換することによって、足の内側部でインソール１０２の第１側面１０８の周辺の角度を調節してもよい。代替的に、使用者は、足の外側部でインソール１０２の第２側面１１０の周辺の角度を増加又は減少させるために、着脱式角度挿入部材１３０を異なる寸法（厚みなど）の別の着脱式角度挿入部材１３０と交換することによって、足の外側部でインソール１０２の第２側面１１０の周辺の角度を調節してもよい。
【００２８】
[0038]  方法２００のブロック２０２〜２０６に記載される工程は、任意の順序で行われてよい。さらに、ある特定の工程が省略されてもよく、一方で他の工程が追加されてもよい。
【００２９】
[0039]  本開示の特定の実施形態が記載されたが、数多くの他の修正形態及び代替的な実施形態が本開示の範囲内にある。例えば、特定のデバイス又は構成部品に関して記載された機能性のうちのいずれも、別のデバイス又は構成部品によって行われてよい。さらに、特定のデバイスの特性が記載されたが、本開示の実施形態は、数多くの他のデバイスの特性に関してもよい。さらに、構造的特徴及び／又は方法論的動作に特有の表現で実施形態が記載されたが、本開示は、記載された特定の特徴又は動作に必ずしも限定されるものではないことを理解されたい。むしろ、特定の特徴及び動作は、実施形態を実現する例示的な形態として開示される。条件付き表現、とりわけ「〜できる（ｃａｎ）」、「〜できる（ｃｏｕｌｄ）」、「〜し得る（ｍｉｇｈｔ）」、又は「〜し得る（ｍａｙ）」などは、別途具体的に定められるか、又は使用される前後関係内で別様に理解されるのでない限り、ある特定の実施形態がある特定の特徴、要素、及び／又は工程を含み得る一方で、他の実施形態がそれらを含まない場合があることを伝達することを一般に意図する。故に、かかる条件付き表現は、特徴、要素、及び／又は工程が何らかの様式で１つ以上の実施形態のために必要とされることを暗示することを一般に意図しない。
【図１】
0006720226.tif 000002
【図２】
0006720226.tif 000003
【図３】
0006720226.tif 000004
【図４】
0006720226.tif 000005
【図５】
0006720226.tif 000006
【図６】
0006720226.tif 000007
【図７】
0006720226.tif 000008
【図８】
0006720226.tif 000009
【図９】
0006720226.tif 000010
【図１０】
0006720226.tif 000011
【図１１】
0006720226.tif 000012